(57)【要約】      （修正有）【課題】平面板の移動を防止し、ゲート位置の設計自由度を高めるガラスインサート成形用金型を提供する。【解決手段】型締めによって可動型との間に平面板５を挟持するとともに、平面板５の端面５ａに接当することにより型締め方向への移動を許容しかつ型締め方向に直交する方向への移動を規制するように平面板５の位置を位置決め自在なスライドコア４と、溶融樹脂をキャビティ内に充填自在なゲート１０と、エアを吸引することにより平面板５を吸着固定自在な吸引部とを固定型２に備え、スライドコア４を平面板５の端面５ａに接当する平面板位置決め位置と、平面板５の端面５ａに接当しないキャビティ形成位置とに位置変更自在とし、平面板５を吸着固定した状態において、平面板５の端面５ａと固定型側対向面との境界部に形成した面取り部５ｃに接当して型締め方向に直交する方向への移動を規制する位置決め部材３５を固定型２に設けてある。【選択図】図６
2009190272.tif 000002
【特許請求の範囲】
【請求項１】
型締めによって固定型と可動型との間にガラス板を主構成とする平面板を挟持するとともに、前記平面板の端部が臨むキャビティを形成するガラスインサート成形用金型であって、
前記固定型が、前記平面板の端面に接当することにより型締め方向への移動を許容しかつ前記型締め方向に直交する方向への移動を規制するように前記平面板の位置を位置決め自在なスライドコアと、溶融樹脂を射出することにより前記キャビティ内に前記溶融樹脂を充填自在なゲートと、前記平面板を挟持する面に設けられて吸引することにより前記平面板を吸着固定自在な吸引部とを備え、
前記スライドコアを前記型締め方向に出退自在に前記固定型に設けて、前記平面板の端面に接当する平面板位置決め位置と、前記キャビティが形成されて前記平面板の端面に接当していないキャビティ形成位置とに位置変更自在に構成してあり、
前記平面板を吸着固定した状態において、前記平面板の端面と前記平面板の固定型側対向面との境界部に形成した面取り部に接当して前記型締め方向に直交する方向への移動を規制する位置決め部材を前記固定型に設けてあるガラスインサート成形用金型。
【請求項２】
前記位置決め部材が、前記平面板の面取り部に接当する位置決め突部と、前記平面板の固定型側対向面の周縁部に接触する平面部とを備えるものである請求項１に記載のガラスインサート成形用金型。
【請求項３】
前記位置決め部材が、前記平面板の面取り部に接当する位置決め突部と、前記平面板の固定型側対向面の周縁部との間に間隔を隔てる平面部とを備えるものである請求項１に記載のガラスインサート成形用金型。
【請求項４】
前記位置決め部材を前記固定型から突出自在に前記固定型に設けてある請求項１〜３のいずれか１項に記載のガラスインサート成形用金型。
【発明の詳細な説明】
【技術分野】
【０００１】
本発明は、型締めによって固定型と可動型との間にガラス板を主構成とする平面板を挟持するとともに、前記平面板の端部が臨むキャビティを形成するガラスインサート成形用金型に関する。
【背景技術】
【０００２】
かかるガラスインサート成形用金型は、型締めによって固定型と可動型との間に平面板を挟持し、平面板の端部が臨むキャビティに溶融樹脂を充填することにより、平面板の端部に樹脂枠を一体成形（ガラスインサート成形）できるようにしたものである。
そして、そのような成形品は、例えばバックケースと一体化されて、それら成形品及びバックケースにて形成される内部空間に液晶パネル等の表示装置や電子部品を配置した基板等を保持することにより、携帯電話や録音プレーヤー等の各種デジタル機器を構成することになる。
【０００３】
従来、この種のガラスインサート成形用金型では、図１９に示すように、固定型２に、溶融樹脂８を射出することによりキャビティ２０内に溶融樹脂８を充填自在なゲート１０と、エアを吸引することにより平面板５を吸着固定自在な吸引部６と、先端に略Ｌ字状に切除して段差を形成した切り欠き部３７を有しかつ型締め方向に出退自在なスライドコア４とを備えるものがあった（国際特許出願第ＰＣＴ／ＪＰ２００７／０６８２７１号参照）。
【０００４】
そして、平面板５の端部に樹脂枠２１を一体成形する工程として、図１９（ａ）に示されるように、固定型２に平面板５を配置する。このとき、スライドコア４は、可動型３側に突出移動した状態にあり、配置した平面板５の端面５ａ及び固定型対向面の周縁部５ｂがスライドコアの切り欠き部３７に係合して平面板５の位置決めがなされる。吸引部６にてエアを吸引することによって平面板５を固定型２に吸着固定して、可動型３を固定型２に向って近接移動させるとともに、スライドコア４を固定型２側に後退移動させる。このとき、平面板５の端面５ａ及び固定型対向面の周縁部５ｂとスライドコアの切り欠き部３７との係合が解除されて平面板５のスライドコア４による位置決めが解除される。型締めによって固定型２と可動型３との間に平面板５を挟持するとともに、平面板５の端部が臨むキャビティ２０を形成する。そして、図１９（ｂ）に示されるように、ゲート１０にて溶融樹脂８を射出することによってキャビティ２０内に溶融樹脂８を充填して平面板５の端部に樹脂枠２１を一体成形する。
【０００５】
尚、図１９は、従来のガラスインサート成形用金型において、平面板の端部に、樹脂枠が形成される際の当該平面板の端部付近を概略的に示した縦断側面図であり、図１９（ａ）は、スライドコアによって平面板の位置決めがなされる状態を示しており、図１９（ｂ）は、溶融樹脂がキャビティ内に充填された状態を示している（図１９中の破線の矢印はスライドコアの移動方向を示しており、白抜きの矢印は可動型の移動方向を示している）。
【発明の開示】
【発明が解決しようとする課題】
【０００６】
ゲートにて溶融樹脂を射出するにあたり、例えば、型締め方向視にてゲートを平面板の外方側に設けると、射出された溶融樹脂は、キャビティにおける可動型側の面に当たってキャビティ内を型締め方向に直交する方向に流動して平面板の端面に当たることになる。
このとき、スライドコアによる平面板の位置決めが解除されており、平面板はエアの吸引により固定型に吸着固定されているだけなので、型締め方向に直交する方向に流動する溶融樹脂が平面板の端面に当たると、平面板が型締め方向とは直交する方向に移動する虞がある。
そこで、従来では、型締め方向視にてゲートを平面板周縁部よりは内方側に設けることにより、平面板が型締め方向に直交する方向に移動する虞を防止するようにしていた。つまり、射出された溶融樹脂は、平面板の裏面周縁部に当たってキャビティ内を型締め方向に直交する方向に流動することになるので、型締め方向に直交する方向に流動する溶融樹脂が平面板の端面に直接当たらないようにして、平面板が型締め方向に直交する方向に移動する虞を防止するようにしていた。
しかしながら、型締め方向視にてゲートを平面板の内方側に設けると、ゲートを設ける位置が平面板の周縁部に限定されるものとなり、設計の自由度が低くなる不都合があった。
【０００７】
本発明は、上記実状に鑑みて為されたものであって、その目的は、平面板の移動を防止するにあたり、ゲートを設ける位置を限定すること無く設計の自由度を高めることができるガラスインサート成形用金型を提供する点にある。
【課題を解決するための手段】
【０００８】
本発明のガラスインサート成形用金型は、型締めによって固定型と可動型との間にガラス板を主構成とする平面板を挟持するとともに、前記平面板の端部が臨むキャビティを形成するものであって、その第１特徴構成は、前記固定型が、前記平面板の端面に接当することにより型締め方向への移動を許容しかつ前記型締め方向に直交する方向への移動を規制するように前記平面板の位置を位置決め自在なスライドコアと、溶融樹脂を射出することにより前記キャビティ内に前記溶融樹脂を充填自在なゲートと、前記平面板を挟持する面に設けられて吸引することにより前記平面板を吸着固定自在な吸引部とを備え、前記スライドコアを前記型締め方向に出退自在に前記固定型に設けて、前記平面板の端面に接当する平面板位置決め位置と、前記キャビティが形成されて前記平面板の端面に接当していないキャビティ形成位置とに位置変更自在に構成してあり、前記平面板を吸着固定した状態において、前記平面板の端面と前記平面板の固定型側対向面との境界部に形成した面取り部に接当して前記型締め方向に直交する方向への移動を規制する位置決め部材を前記固定型に設けてある点にある。
【０００９】
すなわち、固定型に平面板を配置するとき、スライドコアによって平面板の位置決めがなされる。吸引部にて吸引することによって平面板を固定型に吸着固定する。このとき、位置決め部材は、平面板の端面と平面板の固定型側対向面との境界部に形成した面取り部に接当して、型締め方向とは直交する方向への移動を規制する。可動型を固定型に向って近接移動させるとともに、スライドコアを固定型側に後退移動させる。このとき、スライドコアによる平面板の位置決めが解除されるものの、位置決め部材によって平面板の位置決めがなされた状態を維持する。そして、位置決め部材によって平面板の位置決めがなされた状態でゲートにて溶融樹脂を射出することによってキャビティ内に溶融樹脂を充填して平面板の端部に樹脂枠を一体成形する。
【００１０】
このように、位置決め部材によって平面板の位置決めがなされた状態でゲートにて溶融樹脂を射出するので、型締め方向とは直交する方向に流動する溶融樹脂が平面板の端面に当たったとしても、平面板が型締め方向とは直交する方向に移動する虞をなくすことができるものとなり、ゲートを設ける位置が平面板の周縁部に限定されることが無い等、設計の自由度を高めることができる。
【００１１】
本発明の第２特徴構成は、上記第１特徴構成に加えて、前記位置決め部材が、前記平面板の面取り部に接当する位置決め突部と、前記平面板の固定型側対向面の周縁部に接触する平面部とを備えるものである点を特徴とする。
【００１２】
すなわち、位置決め突部が平面板の面取り部に接当するとともに、平面部が平面板の固定型側対向面の周縁部に接触するので、平面板の面取り部及び裏面周縁部からなる凸部と位置決め部材の位置決め突部及び平面部からなる凹部とが嵌まり合って、平面板が型締め方向とは直交する方向に移動する虞を一層なくすことができる。
【００１３】
本発明の第３特徴構成は、上記第１特徴構成に加えて、前記位置決め部材が、前記平面板の面取り部に接当する位置決め突部と、前記平面板の固定型側対向面の周縁部との間に間隔を隔てる平面部とを備えるものである点を特徴とする。
【００１４】
すなわち、位置決め突部が平面板の面取り部に接当するので、平面板が型締め方向に直交する方向に移動する虞をなくすことができながらも、平面部と平面板の固定型側対向面の周縁部との間にもキャビティが形成されるので、樹脂枠にて平面板を良好に支持することができる。
【００１５】
本発明の第４特徴構成は、上記第１〜第３特徴構成のいずれかに加えて、前記位置決め部材を前記固定型から突出自在に前記固定型に設けてある点を特徴とする。
【００１６】
すなわち、前記位置決め部材を前記固定型から突出自在に前記固定型に設けてあるので、可動型を固定型から離間した後に、位置決め部材を突出移動させることにより、成形品を固定型から引き離すことができ、平面板の位置決めをおこなう位置決め部材を成形品を固定型から引き離すエジェクターピンとして用いることができる。
【発明を実施するための最良の形態】
【００１７】
〔第１実施の形態〕
以下、本発明に係るガラスインサート成形用金型について説明する。
図１〜図１０に示すように、本発明のガラスインサート成形用金型１は、固定型２及び可動型３を備えて構成されるものであり、型締めによって固定型２と可動型３との間に矩形状のガラス板を主構成とする平面板５を挟持し、その平面板５の端部が臨むキャビティ２０に溶融樹脂８を充填して、平面板５の端部に樹脂枠２１を一体成形（ガラスインサート成形）することになる。
【００１８】
＜可動型の構成＞
前記可動型３は、図４、図５に示すように、キャビティ２０を形成するための凹部１６、及び凹部１６の外側を構成する可動型側のパーティング面１４ｂを備えて構成されており、図示しない駆動機構によって、固定型２と接触又は離間し得るように型締め方向（左右方向）に移動可能に構成してある。又、凹部１６の深さＨ（パーティング面１４ｂから凹部１６の底面までの距離）は、平面板５の厚みと略同じ長さに設定しており、凹部１６の内周面には、成形品の離型を容易にするための抜き勾配１７が設けられている。
尚、図４は、本発明のガラスインサート成形用金型の可動型３を、固定型２側から見たときの様子を概略的に示した図であり、図５は、図４の矢視線Ｖ−Ｖにおける縦断側面図である。
【００１９】
＜固定型の構成＞
前記固定型２は、図１〜図３、図１１〜図１３に示すように、第１対面形成部材１１及び第２対面形成部材１２を備えて構成されており、固定型２には、平面板５を主に挟持する対面部分７、その対面部分７の外側を構成する固定型側のパーティング面１４ａ、平面板５の端面５ａに接当することにより型締め方向への移動を許容しかつ型締め方向に直交する方向への移動を規制するように平面板５の位置を位置決め自在なスライドコア４、溶融樹脂８を射出することによりキャビティ２０内に溶融樹脂８を充填自在なゲート１０、対面部分７に配置されてエアを吸引することにより平面板５を吸着固定自在な吸引部の一例としてのスリット６、平面板５を吸着固定した状態において、平面板５の端面５ａと固定型側対向面（裏面）との境界部に形成した面取り部５ｃに接当して型締め方向に直交する方向への移動を規制する位置決め部材３５、平面板５における固定型側対向面の周縁部５ｂに臨むようにキャビティ２０の一部を形成する段部９、及び、スライドコア４がキャビティ形成位置まで後退移動したときに、スライドコア４の傾斜面４ｂと面一となるスライドコア引退面２９が設けられている。
尚、図１は、本発明のガラスインサート成形用金型１の固定型２を、可動型３側から見たときの様子を概略的に示した図であり、図２及び図３はそれぞれ、図１の矢視線ＩＩ−ＩＩ及び矢視線ＩＩＩ−ＩＩＩにおける縦断側面図である。
【００２０】
前記対面部分７は、平面視でほぼ矩形であり、第１対面形成部材１１の第１対面部分７ａ、第２対面形成部材１２の第２対面部分７ｂから構成されており、平面板５を対面部分７に配置した際、平面板５の固定型側対向面が、対面部分７に面するように構成されている。第１対面形成部材１１は、第２対面形成部材１２の内部に形成されている中空部内に、第１対面形成部材１１の外周面１１ａと、中空部に面する第２対面形成部材１２の内周面１２ａとの間にスリット６を設けた状態で設置されている。スリット６は、型締め方向視において略ロ字状に形成されており、図示しない空気吸引装置によってエアを吸引することにより、平面板５を吸着固定したり、エアの吸引を停止することにより平面板５の吸着固定を解除するように構成されている。したがって、第１対面形成部材１１の外周面１１ａと第２対面形成部材１２の内周面１２ａとの間に設けられたスリット６が、エアを吸引することにより平面板５を吸着固定自在な吸引部を構成することになる。
【００２１】
しかも、前記固定型２を、第１対面形成部材１１及び第２対面形成部材１２によって構成し、第１対面形成部材１１と第２対面形成部材１２との対向面の間にスリット６を設けて吸引部を形成することによって、例えば、吸引部を、対面部分７に円形の吸引孔を設けて構成するような場合と比べて、当該吸引部の幅をより小さく構成することが可能となり、例えば、溶融樹脂８を空打ち（金型内に平面板５を配置せず溶融樹脂８を射出すること）する際、対面部分７に溶融樹脂８の一部が流れ込んだとしても、その溶融樹脂８がスリット６内に侵入し難くなるため、スリット６が、溶融樹脂８によって閉塞される心配も少ないものとなる。
【００２２】
前記段部９は、図１、図２、図６に示すように、平面視でほぼ矩形の対面部分７の周縁部のほぼ全周に亘って設けられており、対面部分７に配置された平面板５における固定型側対向面の周縁部５ｂのほぼ全周に亘ってキャビティ２０の一部を形成し得るように構成されている。尚、段部９の底面７ｃは、対面部分７の一部を構成するものである。
【００２３】
前記ゲート１０は、図３、図７〜図１０に示すように、固定型側のパーティング面１４ａにおける平面視でほぼ矩形の対面部分７の短辺部分に対応する部分と抜き勾配１７及び可動型側のパーティング面１４ｂの境界部に対応する部分とで囲まれる領域３６（キャビティ２０における固定型側の面）に夫々設けられている。ゲート１０に通じるランナ１５は、型締め方向に形成されており、溶融樹脂８は、ランナ１５内を移動して、ゲート１０からキャビティ２０内に射出される構成となっている。
【００２４】
＜スライドコアの構成＞
図１〜図３、図６、図１１〜図１３に示すように、前記平面視でほぼ矩形の対面部分７の前記短辺部分及び長辺部分における両端側の箇所の夫々に、固定型２内の型締め方向に形成されたスライドコア用孔１３の夫々が外側より接して設けてある。そして、それらスライドコア用孔１３の内部を型締め方向に出退自在なスライドコア４が設けられている。スライドコア４は、対面部分７側の側面４ａ及び先端側の傾斜面４ｂを有しており、図示しない駆動機構によって、対面部分７に配置された平面板５の端面５ａに側面４ａが接触し得る位置（平面板位置決め位置）と、キャビティ２０が形成されて平面板５の端面５ａに側面４ａが接触していない位置（キャビティ形成位置）とに位置変更自在に構成されている。
尚、キャビティ形成位置において、傾斜面４ｂの対面部分７側が底面７ｃと屈曲状に接続するとともに、傾斜面４ｂの対面部分７とは反対側が固定型側のパーティング面１４ａと屈曲状に接続するように構成してある。
【００２５】
＜位置決め部材の構成＞
前記位置決め部材３５は、図１〜図３、図６、図１１〜図１３に示すように、前記対面部分７の前記短辺部分及び前記長辺部分における中央の箇所の夫々に外側より接して設けてある。そして、位置決め部材３５が、平面板５の面取り部５ｃに接当する位置決め突部３５ａと、平面板５の固定型側対向面の周縁部５ｂに接触する平面部３５ｂとを備えている。説明を加えると、位置決め突部３５ａは、対面部分７の外周に沿って突出する状態で形成され、その突出断面は三角状に構成されている。又、位置決め突部３５ａにおいて、平面板５の面取り部５ｃと接触する面と先端を介して連続する面は平面板５の端面５ａに平行である。
【００２６】
＜平面板の端部に樹脂枠を一体成形する構成＞
上述のように構成された本発明のガラスインサート成形用金型１を用いて、ガラスインサート成形を行う方法を説明する。
【００２７】
尚、図６は、本発明のガラスインサート成形用金型１において、固定型２に平面板５を配置する様子を概略的に示した斜視図である。尚、図６中の矢印は、平面板５の移動方向を示す。図７は、本発明のガラスインサート成形用金型１において、型締めによって固定型２と可動型３との間に平面板５を挟持する様子を概略的に示した縦断面図である（図２の矢視線ＩＩ−ＩＩに相当する部分のガラスインサート成形用金型１の縦断面図）。尚、図７中の矢印は空気の吸引方向を示しており、白抜きの矢印は可動型３の移動方向を示す。図８は、本発明のガラスインサート成形用金型１において、固定型２と可動型３とが互いに当接して平面板の端部が臨むキャビティ２０が形成された様子を概略的に示した縦断面図である（図２の矢視線ＩＩ−ＩＩに相当する部分のガラスインサート成形用金型１の縦断面図）。尚、図８中の矢印は、空気の吸引方向を示す。図９は、本発明のガラスインサート成形用金型１において、形成されたキャビティ２０に溶融樹脂８を充填して平面板５の端部に樹脂枠２１が形成された様子を概略的に示した縦断面図である（図２の矢視線ＩＩ−ＩＩに相当する部分のガラスインサート成形用金型１の縦断面図）。尚、図９中の矢印は、空気の吸引方向を示す。図１０は、本発明のガラスインサート成形用金型１において、平面板５の端部に樹脂枠２１を形成した成形品１９を取り出す様子を概略的に示した縦断面図である（図２の矢視線ＩＩ−ＩＩに相当する部分のガラスインサート成形用金型１の縦断面図）。図１１、図１２、及び図１３はそれぞれ、図７、図８、及び図９におけるスライドコア４付近を拡大した図である。
【００２８】
先ず、図７、図１１に示すように、スライドコア４を、その側面４ａが平面板５の端面５ａに接触する位置（平面板位置決め位置）まで十分に突出させた状態で、固定型２の対面部分７に平面板５を配置する。即ち、平面板５は、その端面５ａがスライドコアの側面４ａに接触することによって平面板５の位置決めがなされた状態で対面部分７に配置される。
尚、本発明のガラスインサート成形用金型１においては、スライドコア４の平面板位置決め位置における固定型２からの突出量を、自在に調節するように構成することが可能であり、スライドコア４の突出量を大きくすればそれだけ、平面板５の端面５ａと接触する側面４ａの幅（ｔ）が大きくなり、平面板５を配置し易くなる。
【００２９】
次いで、対面部分７に設けられているスリット６から、図示しない空気吸引装置によって空気を吸引することによって平面板５を対面部分７に吸着固定する。このとき、位置決め突部３５ａが平面板５の端面５ａと平面板５の固定型側対向面との境界部に形成した面取り部５ｃに接当するとともに、平面部３５ｂが平面板５の固定型側対向面の周縁部５ｂに接触するので、平面板５の面取り部５ｃ及び固定型側対向面の周縁部５ｂからなる凸部と位置決め突部３５ａにおける対面部分７と反対側の面及び平面部３５ｂとからなる凹部とが嵌まり合って、平面板５が型締め方向とは直交する方向に移動する虞を一層なくすことができる。
【００３０】
前記可動型３を、平面板５を吸着した固定型２に向って近接移動させると共に、スライドコア４を、その側面４ａが平面板５の端面５ａに接触していない位置（キャビティ形成位置）まで、固定型２側に後退移動させる。このとき、スライドコア４による平面板５の位置決めが解除されるものの、位置決め部材３５によって平面板５の位置決めがなされた状態を維持する。
【００３１】
そして、図８及び図１２に示すように、型締めによって、固定型２の対面部分７と、可動型３における凹部１６の底面との間に平面板５を挟持すると、固定型２及び可動型３の互いのパーティング面１４が当接し、平面板５の端部が臨むキャビティ２０が内部に形成される。そして、図９及び図１３に示すように、位置決め部材３５によって平面板５の位置決めがなされた状態でゲート１０から溶融樹脂８を射出してキャビティ２０内に充填することによって、平面板５の外周に樹脂枠２１が一体形成される。
【００３２】
このように、位置決め部材３５によって平面板５の位置決めがなされた状態でゲート１０にて溶融樹脂８を射出するので、型締め方向とは直交する方向に流動する溶融樹脂８が平面板５の端面５ａに当たったとしても、平面板５が型締め方向とは直交する方向に移動する虞をなくすことができるものとなり、ゲート１０を設ける位置が平面板５の周縁部に限定されることが無い等、設計の自由度を高めることができる。
【００３３】
ちなみに、例えば、位置決め部材３５を設けずに、一方のゲート１０とそのゲート１０に対向する平面板５の端面５ａと他方のゲート１０とそのゲート１０に対向する平面板５の端面５ａとの距離とをほぼ同じにする状態で設けることにより、平面板５の移動を防止することも考えられるが、射出された溶融樹脂８が平面板５の端面５ａに当たるタイミングを一致させる必要があり、実用し難いものである。
【００３４】
そして、可動型３を固定型２から離間するように後退移動、すなわち型開きした後、スリット６からの空気吸引を停止し、図１０に示すように、スライドコア４を突出移動させる。これにより、スライドコア４が、エジェクターピンの役割を果たし、成形品１９は、固定型２から良好に引離されることになり、本発明のガラスインサート成形用金型１から容易に取り外すことが可能になる。
【００３５】
前記成形品１９は、平面板５とその平面板５に一体形成された樹脂枠２１とを備えて構成されており、成形品１９の周縁部の樹脂枠２１は、平面板５の端面５ａと裏面周縁部５ｂとを覆うように形成されている。樹脂枠２１は、平面板５を固定型２の対面部分７に配置したときに対面部分７の段部９に面する平面板５の固定型側対向面の周縁部５ｂと、その固定型側対向面の周縁部５ｂに面取り部５ｃを介して連続する端面５ａにわたって形成されたものであり、樹脂枠２１ｂが形成されることによって、平面板５と形成された樹脂枠２１とがより強固に一体化され得る。つまり、樹脂枠２１における裏面周縁部５ｂを覆う部分が平面板５の受け部として機能することにより、平面板５の表面側から押圧力が加わっても、平面板５が樹脂枠２１によって支持されるからである。
尚、本実施形態における樹脂枠２１は、成形品１９の裏側の断面が傾斜状に形成されており、これによって、形成される樹脂枠２１の急激な肉厚変化を回避し得る。
【００３６】
〔別実施の形態〕
（１）上記構成では、位置決め部材３５が、平面板５の面取り部５ｃに接当する位置決め突部３５ａと、平面板５の固定型側対向面の周縁部５ｂに接触する平面部３５ｂとを備えている構成を例示したが、図１４、図１５に示すように、位置決め部材３５が、平面板５の面取り部５ｃに接当する位置決め突部３５ａと、平面板５の固定型側対向面の周縁部との間に間隔を隔てる平面部３５ｂとを備えるものであってもよい。これにより、平面部３５ｂと平面板５の固定型側対向面の周縁部との間にもキャビティ２０が形成されるので、平面板５の固定型側対向面の周縁部に樹脂枠２１の非存在箇所が生じないようにして、樹脂枠２１にて平面板５を良好に支持することができる。
【００３７】
（２）上記構成では、位置決め部材３５を固定型２に固定してある構成を例示したが、位置決め部材３５を固定型２から突出自在に固定型２に設けてある構成としてもよい。これにより、平面板の位置決めをおこなう位置決め部材を成形品を固定型から引き離すエジェクターピンとして用いることが可能となる。
【００３８】
（３）上記構成では、固定型２が第１対面形成部材１１及び第２対面形成部材１２を備える構成を例示したが、上記構成に限定されるものではなく、固定型２がさらにより多くの対面形成部材を備えるものであって、対面部分７が、さらにより多くの対面形成部材によって構成されるようにしてもよく、あるいは、固定型２が一つの対面形成部材を備える構成としてもよい。この場合、空気を吸引し得る複数の吸引孔を当該対面形成部材に設けて、吸引部を構成するようにしても良い。
【００３９】
（４）上記構成では、第１対面部分７ａの全周にわたってスリット６を設ける構成を示しているが、この構成に限定されるものではなく、第１対面部分７ａの外周の一部分にスリット６を設ける構成としても良い。
【００４０】
（５）上記構成では、矩形状のガラス板を主構成とする平面板５を例示したが、平面板５を構成するガラス板としては、例えば、普通板ガラス、強化板ガラス、磨き板ガラス等を用いることができる。また、前記平面板５は、ガラス板の表面又は／及び裏面に予め加飾が施されたものであっても良い。例えば、得られるガラスインサート成形品が、表示装置を備えた電子機器の筐体である場合、ガラス板に、少なくとも表示装置のための表示窓部を除いて予め加飾を施しておくと良い。また、平面板５は、その平面板５と樹脂枠２１との密着力を向上させるための層を有していても良い。
【００４１】
（６）上記構成では、平面板５の端部が臨むキャビティ２０に溶融樹脂８を充填する構成を例示したが、溶融樹脂８の材料としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、ポリアクリル系樹脂、ポリカーボネート変性ポリフェニレンエーテル樹脂、ポリブチレンテレフタレート樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。
【００４２】
（７）上記構成では、段部９は、対面部分７の周縁部のほぼ全周に亘って設けられる構成を例示したが、これに限られるものではなく、段部９は、対面部分７の周縁部の一部に設けられる構成としてもよい。
又は、段部９は、対面部分７の前記長辺部分に沿ってそれぞれ設けられる構成としたり、対面部分の前記短辺部分に沿ってそれぞれ設けられる構成としてもよい。これにより、成形品の短辺又は長辺の樹脂枠の裏側は、平面板と面一となっており段差がないので、成形品の裏側に対する飛散防止シートや静電センサー等の貼り合わせが容易となる。
【００４３】
（８）上記構成では、スライドコア４は、対面部分７の前記短辺部分及び前記長辺部分における両端側の箇所の夫々に外側より接して設けられている構成を例示したが、これに限られるものではなく、スライドコア４は、対面部分７の前記短辺部分及び前記長辺部分における中央以外の複数箇所の夫々に外側より接して設けられている構成でもよく、あるいは、対面部分７の全周を、その外側より接してスライドコア４で囲うように設けてもよい。
【００４４】
（９）上記構成では、位置決め部材３５は、対面部分７の前記短辺部分及び前記長辺部分における中央の箇所の夫々に外側より接して設けられている構成を例示したが、これに限られるものではなく、位置決め部材３５は、対面部分７の前記短辺部分及び前記長辺部分における中央側の複数箇所の夫々に外側より接して設けられている構成でもよく、あるいは、対面部分７の全周を、その外側より接して位置決め部材３５で囲うように設けてもよい。
【００４５】
（１０）上記構成では、平面板５の面取り部５ｃと接触する面と先端を介して連続する面が平面板５の端面５ａに平行である構成を例示したが、これに限られるものではなく、図１６に示すように、平面板５の面取り部５ｃと接触する面と先端を介して連続する面が平面板５の端面５ａに対して傾斜する構成としたり、図１７に示すように、位置決め突部３５ａは、台形状に構成されてもよい。これにより、位置決め突部３５ａの先端が磨耗し難くすることができる。又、図１８に示すように、位置決め部材３５が、平面視にて平面板５の固定型側対向面の周縁部５ｂに重複しない構成としてもよい。
【００４６】
（１１）上記構成では、スライドコア４は、先端側の傾斜面４ｂを有する構成を例示したが、これに限られるものではなく、スライドコア４の先端側が型締め方向に直交する面を有する構成であってもよく、あるいは、先端に略Ｌ字状に切除して段差を形成した切り欠き部を有する構成であってもよい。
【００４７】
（１２）上記構成では、スリット６がエアの吸引により平面板５を吸着固定する構成を例示したが、これに限られるものではなく、吸盤が押し付けにより平面板５を吸着固定する構成や、静電チャックが静電力により平面板５を吸着固定する構成としてもよい。
【００４８】
（１３）本発明のガラスインサート成形用金型は、前述の実施形態における前記可動型３と、前記平面板５を吸着した状態の前記固定型２との間に、転写フィルムを挟み込み可能である成形同時絵付け手段を備えていても良い。この場合、前記可動型３と、前記平面板５を吸着した状態の前記固定型２との間に転写フィルムを挟み込む工程を経た後に型締めすることにより、溶融樹脂の射出と同時に前記転写フィルムの絵付け部分を前記平面板５に一体化された前記樹脂枠２１に転写することができる。即ち、本発明のガラスインサート成形用金型に、成形同時転写用金型としての働きもさせるものである。
【図面の簡単な説明】
【００４９】
【図１】固定型を、可動型側から見たときの様子を概略的に示した図
【図２】図１の矢視線ＩＩ−ＩＩにおける縦断側面図
【図３】図１の矢視線矢視線ＩＩＩ−ＩＩＩにおける縦断側面図
【図４】可動型を固定型側から見たときの様子を概略的に示した図
【図５】図４の矢視線Ｖ−Ｖにおける縦断側面図
【図６】固定型に平面板を配置する様子を概略的に示した斜視図
【図７】型締めによって固定型と可動型との間に平面板を挟持する様子を概略的に示した縦断面図
【図８】固定型と可動型とが互いに当接して平面板の端部が臨むキャビティが形成された様子を概略的に示した縦断面図
【図９】形成されたキャビティに溶融樹脂を充填して平面板の端部に樹脂枠が形成された様子を概略的に示した縦断面図
【図１０】平面板の端部に樹脂枠を形成した成形品を取り出す様子を概略的に示した縦断面図
【図１１】図７におけるスライドコア付近を拡大した図
【図１２】図８におけるスライドコア付近を拡大した図
【図１３】図９におけるスライドコア付近を拡大した図
【図１４】別実施形態におけるスライドコア及び位置決め部材の要部斜視図
【図１５】別実施形態における固定型と可動型とが互いに当接して平面板の端部が臨むキャビティが形成された様子を概略的に示した縦断面図
【図１６】別実施形態における位置決め部材の構成を示した図
【図１７】別実施形態における位置決め部材の構成を示した図
【図１８】別実施形態における位置決め部材の構成を示した図
【図１９】従来のガラスインサート成形用金型の構成を示した図
【符号の説明】
【００５０】
１          ガラスインサート成形用金型
２          固定型
３          可動型
４          スライドコア
５          平面板
５ａ        端面
５ｂ        周縁部
５ｃ        面取り部
６          吸引部
８          溶融樹脂
１０        ゲート
２０        キャビティ
３５        位置決め部材
３５ａ      位置決め突部
３５ｂ      平面部
【図１】
2009190272.tif 000003
【図２】
2009190272.tif 000004
【図３】
2009190272.tif 000005
【図４】
2009190272.tif 000006
【図５】
2009190272.tif 000007
【図６】
2009190272.tif 000008
【図７】
2009190272.tif 000009
【図８】
2009190272.tif 000010
【図９】
2009190272.tif 000011
【図１０】
2009190272.tif 000012
【図１１】
2009190272.tif 000013
【図１２】
2009190272.tif 000014
【図１３】
2009190272.tif 000015
【図１４】
2009190272.tif 000016
【図１５】
2009190272.tif 000017
【図１６】
2009190272.tif 000018
【図１７】
2009190272.tif 000019
【図１８】
2009190272.tif 000020
【図１９】
2009190272.tif 000021